(57)【要約】【課題】フィルム状物を効率良く回収できるフィルム状物回収装置を提供する。【解決手段】ハウジング２内に、フィルム状物ＦＬを吸引するための第１の部屋ＦＲ及び前記フィルム状物を回収するための第２の部屋ＳＲを有し、前記第１の部屋には、前記フィルム状物への吸引力を発生させる吸引手段４が接続され、前記第２の部屋は、前記第１の部屋と仕切板２１を間にして隣接配置されると共に閉空間として形成され、更に前記第１の部屋と前記第２の部屋とは前記仕切板２１に設けた切欠部２１ＤＣを介して空間的に接続され、前記第１の部屋側では前記吸引手段による吸引力に基づいて前記フィルム状物を付着させ、前記切欠部を介して前記第２の部屋側へ移動させ、第２の部屋側では前記フィルム状物への前記吸引力を解除することにより当該フィルム状物を搬送する搬送機構１０、１２が設けてあるフィルム状物回収装置１である。【選択図】    図１
2008063045.tif 000002
【特許請求の範囲】
【請求項１】
ハウジング内に、フィルム状物を吸引するための第１の部屋及び前記フィルム状物を回収するための第２の部屋を有し、
前記第１の部屋には、前記フィルム状物への吸引力を発生させる吸引手段が接続され、
前記第２の部屋は、前記第１の部屋と仕切板を間にして隣接配置されると共に閉空間として形成され、更に前記第１の部屋と前記第２の部屋とは前記仕切板に設けた切欠部を介して空間的に接続され、
前記第１の部屋側では前記吸引手段による吸引力に基づいて前記フィルム状物を付着させ、前記切欠部を介して前記第２の部屋側へ移動させ、第２の部屋側では前記フィルム状物への前記吸引力を解除することにより当該フィルム状物を搬送する搬送機構が設けてある、ことを特徴とするフィルム状物回収装置。
【請求項２】
前記第２の部屋の下流側に調圧扉構造が更に配設されており、前記調圧扉構造が閉じているときに第２の部屋内が前記閉空間の状態に維持される、ことを特徴とする請求項１に記載のフィルム状物回収装置。
【請求項３】
前記調圧扉構造は調圧用の開閉扉を複数段に配置した構造を含む、ことを特徴とする請求項２に記載のフィルム状物回収装置。
【請求項４】
前記搬送機構は、前記第１の部屋及び前記第２の部屋にかかるように配置した、複数孔を有する円板体と、前記円板体を前記第１の部屋から前記第２の部屋へ向けて回転させる駆動手段とを含む、ことを特徴とする請求項１から３のいずれかに記載のフィルム状物回収装置。
【発明の詳細な説明】
【技術分野】
【０００１】
本発明は、種々の製品を包装するのに利用されているラップ材やフィルム材などのように薄く、軽量であるフィルム状の素材（以下、フィルム状物と称する）を回収するのに好適であるフィルム状物回収装置に関する。
【背景技術】
【０００２】
近年、環境保護や資源の有効利用などの観点から、不良製品や廃棄物を構成部分毎に選別或いは分離し、それぞれを個別に回収して再利用を図るシステムや装置に係る提案が種々されるようになっている。例えば、特許文献１は風力を利用してゴミを選別する風力選別装置について開示する。この風力選別装置は、ゴミを搬送投入するための投入手段、ゴミを選別するための気流を発生させるノズルヘッダ、更に分離板などを備えて構成されている。そして、ノズルヘッダはゴミ投入手段の投入部下方から上方に略４５度の方向に気流を噴射するように設置され、分離板はノズルヘッダの噴射方向の正面に気流を妨げるように設置されている。また、分離板と装置天井との間に適切な空間が形成され、分離板の後方にはこの分離板の上縁より下方の位置に空気の排出口が設けてある。この風力選別装置はビンや缶などのような重いゴミは手前側に落下させ、フィルム状物のように軽いゴミは分離板の後方側へと吹き飛ばすことができる。よって、この風力選別装置によるとゴミの中に含まれているフィルム状物を選別、分離することができる。
【０００３】
更に、特許文献２は渦気流を発生させてゴミ中のフィルム状物を回収する選別装置について開示する。この選別装置は円錐形の内周面及びこの内周面の小径側に設けられた吸引口を有するケーシングと、前記内周面に沿って高圧空気を噴出する少なくとも１つのノズルとを備えている。ノズルに圧縮空気を吹き込むと、このノズルからケーシングの内周面に沿って高圧空気が噴出する。この空気は吸引口から上方へ向かって螺旋状の空気流を形成する。この螺旋状の空気流は、吸引口外側から空気を吸い込むので、吸引口付近のフィルム状物を空気流に乗せて上方へ吸い上げて回収することができる。
【０００４】
【特許文献１】特開平１０−２４９２８２号公報
【特許文献２】特開２００１−９６２３３号公報
【発明の開示】
【発明が解決しようとする課題】
【０００５】
上記のように、従来における選別装置では、空気流を利用して相対的に質量の軽いフィルム状物を他の重い物と選別するというのが一般的であった。しかしながら、フィルム状物は軽く嵩張るため、分離選別後の取り扱いにも手間を取る場合が多い。すなわち、分離選別されたフィルム状物は周辺に乱気流などがあると舞い上がってしまう。また、大きな空間内にフィルム状物を集めて自然落下で堆積するのを待つようにした場合などでは待機時間が著しく長くなってしまう。このようにフィルム状物を分離選別した後の作業にも困難性があることを考慮して、装置やシステムの設計がなされてないというのが実情である。
【０００６】
そこで、本発明の目的は、フィルム状物を効率良く回収して処理できるフィルム状物回収装置を提供することにある。
【課題を解決するための手段】
【０００７】
上記目的は、ハウジング内に、フィルム状物を吸引するための第１の部屋及び前記フィルム状物を回収するための第２の部屋を有し、前記第１の部屋には、前記フィルム状物への吸引力を発生させる吸引手段が接続され、前記第２の部屋は、前記第１の部屋と仕切板を間にして隣接配置されると共に閉空間として形成され、更に前記第１の部屋と前記第２の部屋とは前記仕切板に設けた切欠部を介して空間的に接続され、前記第１の部屋側では前記吸引手段による吸引力に基づいて前記フィルム状物を付着させ、前記切欠部を介して前記第２の部屋側へ移動させ、第２の部屋側では前記フィルム状物への前記吸引力を解除することにより当該フィルム状物を搬送する搬送機構が設けてある、ことを特徴とするフィルム状物回収装置により達成される。
【０００８】
本発明によると、フィルム状物を吸引する第１の部屋と閉空間として形成される第２の部屋とが隣接配置され、第１の部屋側から第２の部屋側へフィルム状物を確実に搬送する搬送機構が設けてある。よって、フィルム状物は第２の部屋内に堆積して効率良く回収される。
【０００９】
また、前記第２の部屋の下流側に調圧扉構造が更に配設されており、前記調圧扉構造が閉じているときに第２の部屋内が前記閉空間の状態に維持される構造を採用するのが望ましい。そして、前記調圧扉構造は調圧用の開閉扉を複数段に配置した構造を採用するのが更に望ましい。
【００１０】
また、前記搬送機構は、前記第１の部屋及び前記第２の部屋にかかるように配置した、複数孔を有する円板体と、前記円板体を前記第１の部屋から前記第２の部屋へ向けて回転させる駆動手段とを含む構造とすることができる。
【発明の効果】
【００１１】
本発明によると、フィルム状物を効率良く回収して処理できるフィルム状物回収装置を提供できる。
【発明を実施するための最良の形態】
【００１２】
以下、図面を参照して本発明の一実施形態に係るフィルム状物回収装置について説明する。図１は、実施例に係るフィルム状物回収装置１について示した図である。この図１は、フィルム状物回収装置１の各部構成を確認し易いように、模式的な分解斜視図で示してある。なお、フィルム状物回収装置１は廃棄物や不良品の選別システムの後処理装置などとして好適に採用されるものである。すなわち、フィルム状物回収装置１は選別処理工程などでフィルム状物が分離された後に採用されてフィルム状物を効率良く回収処理する。例えば、たばこ製造工程で生じた不良包か詰め製品を内部のタバコと外側の包装材とに分離し、更に包装材を紙とフィルムとに分離したときに扱いが面倒な外装フィルム（フィルム状物）を回収する場合などの工程で、このフィルム状物回収装置１を好適に適用できる。
【００１３】
フィルム状物回収装置１のハウジング２は、大略の形状が中空筒状であるハウジング本体２Ａとその上部を覆うように配置されるハウジングカバー体２Ｂとにより形成されている。ハウジング本体２Ａ内には、仕切板２１が配置されて第１の部屋ＦＲと第２の部屋ＳＲとに仕切られている。なお、仕切板２１の一部には切欠部２１ＤＣが形成されている。この切欠部２１ＤＣについては後述する。
【００１４】
第１の部屋ＦＲは、装置外に存在しているフィルム状物ＦＬを吸引するために設けた部屋である。この第１の部屋ＦＲの上方に位置する上記カバー体２Ｂには、吸引力を導入するための開口２ＨＬが形成してある。より具体的には、開口２ＨＬに吸引力誘導パイプ３が差し込まれており、吸引力誘導パイプ３の他端には吸引手段となる吸引ポンプ４が接続されている。よって、第１の部屋ＦＲ内には吸引ポンプ４の吸引力によって負圧状態が形成されているので、反対側（図１では下側）から装置外にあるフィルム状物ＦＬを内部に吸引することができる。第１の部屋ＦＲの下側は開放状態としてもよいが、図１では底板２２を配置して、この底板２２に開口２２ＨＬを設けて吸引用パイプ５を接続してある。この吸引用パイプ５の他端側の開口を例えばたばこの不良包か詰め製品を処理したフィルム状物（この場合は外装フィルム）が送り込まれる場所（部屋）に接続しておけばこれらを強制的に吸引することになる。
【００１５】
さて、このフィルム状物回収装置１は吸引したフィルム状物ＦＬを効率良く回収して、処理するための新規な構造を備えている。以下では、更にこの点について説明する。
【００１６】
ハウジング２内の上部には、第１の部屋ＦＲ側では前記吸引ポンプ４による吸引力に基づいてフィルム状物ＦＬを付着させ、前記切欠部２１ＤＣを介して第２の部屋ＳＲ側へ移動させ、この第２の部屋ＳＲ側ではフィルム状物ＦＬへの吸引力を解除することにより当該フィルム状物を搬送する搬送機構が設けてある。具体的には、ハウジングカバー体２Ｂの下側には軸芯１１を中心に回転する円板体１０が配備されている。この円板体１０には多数の孔１０ＨＬが形成してある。吸引ポンプ４が接続された開口２ＨＬは第１の部屋ＦＲの上部に設定されている。開口２ＨＬの下側に円板体１０が位置するので、円板体１０の上部（背部）側で吸引力を発生させる状態となり、下面側にフィルム状物ＦＬを付着させることになる。図１はフィルム状物回収装置１を分解斜視図で示しているが、組立てられたときには円板体１０は内部で第１の部屋ＦＲ及び第２の部屋ＳＲの上方に跨る（かかる）ようにして配置される。駆動手段となるモータ１２の駆動軸が軸芯１１に接続されており、円板体１０は図示のように反時計方向Ｗへ回転するように設定されている。
【００１７】
以上のような構成を備えたフィルム状物回収装置１は、以下のように動作するので取り扱いが面倒なフィルム状物ＦＬを効率良く回収して処理できる。なお、ここでは図２及び図３も参照してフィルム状物回収装置１の動作を説明する。図２はフィルム状物ＦＬが円板体１０に付着して移動するときの様子、図３はフィルム状物ＦＬが円板体１０から離れて第２の部屋ＳＲ内に回収されるときの様子をそれぞれ示している。
【００１８】
フィルム状物回収装置１の第１の部屋ＦＲには、吸引力誘導パイプ３を介して吸引ポンプ４に基づく所定の吸引力が作用している。よって、図１で示すように、第１の部屋ＦＲ内が負圧状態となるので反対側の開口２２ＨＬに接続した吸引用パイプ５を介して装置外のフィルム状物ＦＬを吸引できる。
【００１９】
なお、第１の部屋ＦＲの隣には、前述のように仕切板２１を間にして第２の部屋ＳＲが設けられている。この第２の部屋ＳＲは壁面によって囲まれ、空気の流れを発生させない閉じた空間として形成してある。本明細書では、このように空気の流れを発生させない空間を閉空間と称している。
【００２０】
仕切板２１には切欠部２１ＤＣが形成されているので、第１の部屋ＦＲと第２の部屋ＳＲとは切欠部２１ＤＣを介して空間的に接続された状態になる。第１の部屋ＦＲには吸引ポンプ４に接続された開口２ＨＬと反対側の底板に設けた開口２２ＨＬが存在するので、内部に吸引力（負圧）が生じる。これに対して、第２の部屋ＳＲは切欠部２１ＤＣで第１の部屋ＦＲと接続されてはいるが、閉空間であるので他に開口はない。このように第２の部屋ＳＲ内には、吸引力や空気流が生じないように設計されている。
【００２１】
図１で示すように吸引力を発生させる開口２ＨＬは、複数の孔１０ＨＬを有する円板体１０の上部に形成してあるので、第１の部屋ＦＲ内に吸引されたフィルム状物ＦＬは円板体１０の下面に付着することになる。円板体１０はモータ１２の駆動力を受けて反時計方向Ｗへ回転している。よって、円板体１０はフィルム状物ＦＬを下面に付着させ、仕切板２１に設けた切欠部２１ＤＣを介して、第１の部屋ＦＲから第２の部屋ＳＲへと搬送する。図２はこの時の様子を示している。      
【００２２】
フィルム状物ＦＬが移動された先の第２の部屋ＳＲは、前述したように閉空間であるので吸引力や気流などが発生してない。よって、図３で示すように、フィルム状物ＦＬが第２の部屋ＳＲ内に入ると円板体１０に付着する吸引力が解除され、底部に向けて自然落下して堆積することになる。このときに第２の部屋ＳＲ内には、フィルム状物ＦＬの落下を妨げるような気流などが無いので速やかに落下させることができる。
【００２３】
この実施例では第２の部屋ＳＲ内を更に第２の仕切板２５を配備した場合を例示している。この仕切板２５は、第１の部屋ＦＲとの間に配置した前記の仕切板２１とは異なり、切欠部が設けられていない。仕切板２５は円板体１０の下面に付着したままで離れないフィルム状物ＦＬが存在するような場合には、これを掻き落とすように作用する。なお、このようにフィルム状物ＦＬを掻き落とすための仕切板２５を更に設ける場合には、第２の部屋ＳＲ内の上側のみに配備してもよい。このようにすれば、仕切板２５を設けても第２の部屋ＳＲ内のフィルム収納容積をそのまま確保できるので、より好ましい構造となる。
【００２４】
上記のように第２の部屋ＳＲ内には順次にフィルム状物ＦＬが堆積して、回収されることになるので、これを効率良く処理するための構造を設けることが望ましい。フィルム状物回収装置１に適用するのが好ましい、フィルム処理構造について説明する。
【００２５】
図３を流用して説明する。前述したように第２の部屋ＳＲは閉空間として形成され、フィルム状物ＦＬを落下させて堆積させて回収するものである。堆積したフィルム状物ＦＬを装置外に取り出す処理（作業）が必要である。例えばこの図３だけに追加して示しているように、第２の部屋ＳＲの底部にフィルム状物ＦＬを取出すための開閉扉３０を設けることが考えられる。この開閉扉３０は調圧扉構造として機能するもので、閉じているときに第２の部屋ＳＲ内を閉空間の状態に維持する。フィルム状物ＦＬが第２の部屋ＳＲ内に一定量以上回収されたときに、装置を停止して開閉扉３０開ければフィルム状物ＦＬを簡単に取出すことができる。
【００２６】
フィルム状物回収装置１の吸引ポンプ４を駆動させて第１の部屋ＦＲに吸引力を発生させている状態で開閉扉３０を開けると、第２の部屋ＳＲ内に逆向きの空気流が生じて回収したフィルム状物ＦＬが第１の部屋ＦＲ側へ戻ってしまう。よって、図３で示すように一段の開閉扉３０だけの構造の場合には、前述のように装置を停止してからフィルム状物ＦＬの取出作業を行うことが前提となる。
【００２７】
装置を停止させることなく回収したフィルム状物ＦＬを取出すことができれば、より効率的なフィルム状物回収装置となる。このような観点で調圧扉構造に改良を加えたのが、図４に示すフィルム状物回収装置である。なお、図１〜図３で説明した構成と同じ部位には、同じ符号を付してある。このフィルム状物回収装置１は、第２の部屋ＳＲの下流側に調圧用の開閉扉が２段（複数段）で配置してある。
【００２８】
図４は装置の動作を連続的に示している。（Ａ）は第１の部屋ＦＲへのフィルム状物ＦＬの吸引、（Ｂ）は第１の部屋ＦＲから第２の部屋ＳＲへのフィルム状物ＦＬの移動、（Ｃ）は第２の部屋ＳＲ内でのフィルム状物ＦＬの落下、堆積の様子を示している。ここまでは、先の説明の動作と同様であるが、以下の（Ｄ）、（Ｅ）の動作で堆積したフィルム状物ＦＬの取出作業が効率化されている。
【００２９】
（Ｄ）では下流側の第２開閉扉３２を閉じた状態で、上流側の第１開閉扉３１が開かれる。この動作でフィルム状物ＦＬが第２開閉扉３２上に待機した状態となる。この後に続いて（Ｅ）では上流側の第１開閉扉３１を閉じ側に切り替え、下流側の第２開閉扉３２が開き側に切り替えられる。（Ｄ）、（Ｅ）による、第１開閉扉３１と第２開閉扉３２との交互の開閉による動作で、第２の部屋ＳＲの閉空間状態が維持される。よって、吸引ポンプ４を駆動させたままで回収したフィルム状物ＦＬを取出す処理を行なえる。よって、図４で示すフィルム状物回収装置は、更に効率化を図った装置として提供できることなる。
【００３０】
以上、本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００３１】
【図１】実施例に係るフィルム状物回収装置について示した図である。
【図２】フィルム状物回収装置の動作を示した図であり、フィルム状物が円板体に付着して移動するときの様子を示した図である。
【図３】フィルム状物回収装置の動作を示した図であり、フィルム状物が円板体から離れて第２の部屋内に回収されるときの様子を示した図である。
【図４】改良を加えたフィルム状物回収装置について示している図である。
【符号の説明】
【００３２】
１                        フィルム状物回収装置
２（２Ａ、２Ｂ）          ハウジング
２Ａ                      ハウジング本体
２Ｂ                      ハウジングカバー体
４                        吸引ポンプ（吸引手段）
１０                      円板体
１０ＨＬ                  孔
１２                      モータ（駆動手段）
２１                      仕切板
２１ＤＣ                  切欠部
３０                      開閉扉（調圧扉構造）
３１                      第１開閉扉
３２                      第２開閉扉
ＦＬ                      フィルム状物
ＦＲ                      第１の部屋
ＳＲ                      第２の部屋
【図１】
2008063045.tif 000003
【図２】
2008063045.tif 000004
【図３】
2008063045.tif 000005
【図４】
2008063045.tif 000006